(57)【要約】      （修正有）【課題】設置された雨水タンクが設置面から浮き上がってしまうのを防ぐことができる雨水タンクの固定構造を提供する。【解決手段】設置面３に載置された雨水タンク１と、設置面３に雨水タンク１を固定する固定具５とを備えた雨水タンクの固定構造である。雨水タンク１には、貫通孔７１を有する取付孔部７が設けられている。固定具５は、取付孔部７の貫通方向の両側に配置され且つ設置面３に固定される一対の支持具５１と、一対の支持具５１に架設されて取付孔部７に挿通される棒状部材５２とを有している。【選択図】図３
2013234546.tif 000002
【特許請求の範囲】
【請求項１】
雨水を貯留する貯水部を有し設置面に載置された雨水タンクと、
前記設置面に前記雨水タンクを固定する固定具と
を備えた雨水タンクの固定構造であって、
前記雨水タンクには、貫通孔を有する取付孔部が設けられており、
前記固定具は、
前記取付孔部の貫通方向の両側に配置され且つ前記設置面に固定される一対の支持具と、
前記一対の支持具に架設されて前記取付孔部に挿通される棒状部材と
を有している
ことを特徴とする雨水タンクの固定構造。
【請求項２】
前記雨水タンクの前記貯水部の下方には上方に凹没する底凹部が設けられ、
前記支持具が、前記底凹部内に配置されている
ことを特徴とする請求項１記載の雨水タンクの固定構造。
【請求項３】
前記雨水タンクの側面には、内側に凹没する側面凹部が設けられ、
前記支持具が、前記側面凹部内に配置されている
ことを特徴とする請求項１または請求項２のいずれかに記載の雨水タンクの固定構造。
【請求項４】
前記棒状部材が、前記取付孔部の孔内面の下端部に当接している
ことを特徴とする請求項１乃至請求項３のいずれか一項に記載の雨水タンクの固定構造。
【発明の詳細な説明】
【技術分野】
【０００１】
本発明は、雨水タンクの固定構造に関する。
【背景技術】
【０００２】
従来、雨水タンクが設置面に固定された固定構造が知られている（例えば特許文献１参照）。
【０００３】
この特許文献１記載の貯水タンクには、背面上部にフック部材が設けられている。フック部材には、チェーンやワイヤー等の紐状部材が挿通される。紐状部材は、フック部材に通された状態で、その両端が地面に打設されて固定される。
【０００４】
また貯水タンクには、ベース部材が取り付けられている。ベース部材は、固定部と、保持片とを備えている。固定部は、地面に固定される。保持片は固定部の外周縁から立設されている。貯水タンクの下端部は、地面に固定されたベース部材に嵌め込まれる。
【０００５】
特許文献１記載の貯水タンクは、上端部が、フック部材に通された紐状部材により地面に固定され、さらに下端部がベース部材を介して固定され、これにより地面に設置されている。
【先行技術文献】
【特許文献】
【０００６】
【特許文献１】特開２０１１−１７４２６２号公報
【発明の概要】
【発明が解決しようとする課題】
【０００７】
ところで特許文献１記載のベース部材は、固定部が地面に固定され、保持片が固定部の外周縁から立設されている。貯水タンクがベース部材に取り付けられると、貯水タンクが固定部の上方に載置され、保持片により位置規制される。
【０００８】
しかしながら、この特許文献１記載の貯水タンクの下端部は、保持片により位置規制されただけであるので、地震などが生じた場合、貯水タンクが浮き上がる可能性がある。
【０００９】
本発明は、上記事情に鑑みてなされたものであり、その目的とするところは、設置された雨水タンクが設置面から浮き上がってしまうのを防ぐことができる雨水タンクの固定構造を提供することにある。
【課題を解決するための手段】
【００１０】
本発明の雨水タンクの固定構造は、雨水を貯留する貯水部を有し設置面に載置された雨水タンクと、前記設置面に前記雨水タンクを固定する固定具とを備えた雨水タンクの固定構造であって、前記雨水タンクには、貫通孔を有する取付孔部が設けられており、前記固定具は、前記取付孔部の貫通方向の両側に配置され且つ前記設置面に固定される一対の支持具と、前記一対の支持具に架設されて前記取付孔部に挿通される棒状部材とを有していることを特徴とする。
【００１１】
また、この雨水タンクの固定構造において、前記雨水タンクの前記貯水部の下方には上方に凹没する底凹部が設けられ、この底凹部の内側面に前記取付孔部が設けられ、前記支持具が、前記底凹部内に配置されていることが好ましい。
【００１２】
また、この雨水タンクの固定構造において、前記雨水タンクの側面には、内側に凹没する側面凹部が設けられ、この側面凹部内に前記取付孔部が配置され、前記支持具が、前記側面凹部内に配置されていることが好ましい。
【００１３】
また、この雨水タンクの固定構造において、前記棒状部材が、前記取付孔部の孔内面の下端部に当接していることが好ましい。
【発明の効果】
【００１４】
本発明の雨水タンクの固定構造によれば、貫通孔を有する取付孔部に棒状部材が挿通された状態で、雨水タンクが設置面に固定されるので、地震などが起こった場合であっても、雨水タンクが設置面から浮き上がってしまうのを防ぐことができる。
【図面の簡単な説明】
【００１５】
【図１】本実施形態の雨水タンクの固定構造を示す斜視図である。
【図２】本実施形態の固定具の分解斜視図である。
【図３】本実施形態の雨水タンクの固定構造の分解側断面図である。
【図４】本実施形態の雨水タンクの斜視図である。
【図５】（ａ）〜（ｃ）は、本実施形態において、固定具の取り付け方法を説明するための要部断面図である。
【図６】本実施形態の雨水タンクの使用状態を示す正面図である。
【発明を実施するための形態】
【００１６】
以下、本発明の実施形態について添付図面に基づいて説明する。
【００１７】
本実施形態の雨水タンク１の固定構造は、図１に示されるように、雨水タンク１と、固定具５とを備えている。雨水タンク１は、図２に示されるように、設置面３に載置される。固定具５は、雨水タンク１を設置面３に固定する。
【００１８】
設置面３は、雨水タンク１を設置するための載置面である。設置面３は、例えば、地面や、コンクリート床などが挙げられる。設置面３は、水平な面が望ましいが、水平面に限られない。
【００１９】
雨水タンク１は、図１に示されるように、タンク本体２と、蓋部材４とを備えている。タンク本体２は、上方に開口した有底箱形状に形成されている。タンク本体２は、断面略楕円形状に形成されている。タンク本体２は、平面視において長さと幅とを有している。幅は、長さ方向に直交する。タンク本体２は、高さを有している。タンク本体２の内部は、貯水部２９となっている。貯水部２９は、雨水を貯留する。タンク本体２は設置面３に載置される。蓋部材４はタンク本体２の上方の開口に着脱自在に取り付けられる。
【００２０】
なお、図１に示されるように、雨水タンク１において、背面から見て（図２において紙面手前側から見て）長さ方向の右側に向かう方向が第１の方向８０として定義される。また、第１の方向８０とは反対側に向かう方向が第２の方向８１として定義される。また、長さ方向は左右方向として定義される。また、左右方向に直角な方向で且つ紙面奥手前方向が前後方向として定義される。特に、雨水タンク１から前側に向かう方向が前方向８２として定義される。またその反対側に向かう方向が後方向８３として定義される。
【００２１】
タンク本体２は、底凹部２５と、側面凹部２６と、取水口２１と、排水口２２と、蛇口部２８（図３参照）と、筒状吐出部２７と、収容凹所２４とを備えている。蛇口部２８は、図３に示されるように、タンク本体２の前方側の下部に設けられている。蛇口部２８は、貯水部２９に接続されている。これにより、蛇口部２８からは、貯水部２９内に貯留された雨水が吐水される。
【００２２】
側面凹部２６は、タンク本体２の側面から内側（タンク本体２の内部側）に向かって凹没する。側面凹部２６は、前方側と後方側とのそれぞれに設けられている。前方側の側面凹部２６には、蛇口部２８が設けられている。側面凹部２６は、タンク本体２の左右方向の中央に設けられている。側面凹部２６は、タンク本体２の下端部に設けられている。側面凹部２６は、上下方向に長さを有している。側面凹部２６は、左右方向に幅を有している。側面凹部２６は、タンク本体２の内側に向かって深さを有している。
【００２３】
底凹部２５は、図４に示されるように、タンク本体２の底面から上方に向かって凹没する。底凹部２５は、上面２５１と、対向面２５２とを備えている。対向面２５２は、左右方向に対向配置されている。対向面２５２は、上方に向かうほど対向間の距離が短くなるよう傾斜している。底凹部２５は、雨水タンク１が設置面３に載置された状態では、前後方向に開口する。
【００２４】
図４，５に示されるように、底凹部２５の上面２５１には取付孔部７が設けられている。言い換えると、底凹部２５の内側面に取付孔部７が設けられている。取付孔部７は、底凹部２５の上面２５１から下方に向かって延出している。また、取付孔部７は、前後方向に厚みを有している。取付孔部７は、左右方向に幅を有している。
【００２５】
取付孔部７は、貫通孔７１を有している。貫通孔７１は、前後方向に沿って雨水タンク１の肉厚部分を一方向に貫通する。本実施形態の貫通孔７１は、取付孔部７を前後方向に貫通する。
【００２６】
取付孔部７は、タンク本体２の下端部において、左右方向の略中央に設けられている。取付孔部７は、貯水部２９の下方に設けられている。貫通孔７１は、タンク本体２の貯水部２９を非貫通とするような位置に配置されている。
【００２７】
取水口２１は、タンク本体２内に雨水を取り込むために設けられている。取水口２１は、タンク本体２の後方８３側の上端部に設けられている。取水口２１は、例えば、タンク本体２において第１の方向８０の先端側に配置される。取水口２１は、図６に示されるように、取水用ホース９４を介して竪樋に連通接続される。
【００２８】
排水口２２は、タンク本体２に溜められた雨水が所定の量を超えると、その超えた分の雨水を排水するために設けられる。排水口２２は、タンク本体２の後方８３側の上端部に設けられている。排水口２２は、タンク本体２において第２の方向８１の先端側に配置される。排水口２２は、図６に示されるように、排水用ホース９５を介して竪樋に連通接続される。排水口２２は、取水口２１と略同じ高さに設けられている。
【００２９】
筒状吐出部２７は、タンク本体２の内部に残った雨水を排水するために設けられている。本実施形態の筒状吐出部２７は、タンク本体２の内部底面に近接するよう配置されている。筒状吐出部２７は、収容凹所２４内に収容配置されている。
【００３０】
筒状吐出部２７は、吐出口（図示せず）を有している。吐出口は、各筒状吐出部２７の先端に設けられている。吐出口は、貯水部２９に連通している。筒状吐出部２７は、キャップ２７１を有している。
【００３１】
固定具５は、雨水タンク１を設置面３に固定する。固定具５は、図２に示されるように、支持具５１と、棒状部材５２とを備えている。
【００３２】
支持具５１は、設置面３に固定される。支持具５１は、少なくとも一対設けられている。支持具５１は、取付孔部７の貫通方向の両側に配置される。支持具５１は、固定部５１１と、立設部５１２とを備えている。支持具５１は、金属板材を曲げ加工することで形成されており、断面Ｌ字状に形成されている。
【００３３】
固定部５１１は、設置面３に固定される。設置面３に対する固定部５１１の固定は、アンカーボルト等の固着具（図示せず）を介して行われる。固定部５１１には、固着具を挿通するための固着具挿通孔５１３が複数箇所に穿設されている。
【００３４】
立設部５１２は、固定部５１１から上方に向かって延出している。立設部５１２は、鉛直面で構成されている。立設部５１２は、左右方向に幅を有している。立設部５１２は、上方に向かうほど幅狭となった略台形形状となっている。立設部５１２の幅は、底凹部２５の対向面２５２間の長さよりもやや小さく形成されている。立設部５１２の上下方向の長さは、設置面３から底凹部２５の上面２５１までの長さよりもやや小さく形成されている。これにより、立設部５１２は、底凹部２５内に収容配置されるようになっている。立設部５１２には、挿通孔５１４が設けられている。挿通孔５１４は、立設部５１２を厚み方向に貫通する。
【００３５】
棒状部材５２は、図２に示されるように、前後方向に長い軸状の部材である。棒状部材５２の長手方向の両端部には、ねじ部５２１が形成されている。棒状部材５２は、対向配置された支持具５１に架設される。また、棒状部材５２は、雨水タンク１の取付孔部７に挿通される。
【００３６】
棒状部材５２は、例えば、寸切りボルトや、金属丸棒の長手方向の両端にねじ部５２１が形成されたものにより構成される。棒状部材５２は、断面円形のものに限られず、断面四角形であってもよいし、断面六角形状であってもよく、断面形状は特に限定されない。
【００３７】
次に、施工者が、固定具５を用いて雨水タンク１を固定する場合につき説明する。
【００３８】
施工者は、雨水タンク１を、設置面３の所定の位置に配置する。次いで、施工者は、支持具５１を取付孔部７の前後方向の両側に配置する。施工者は、各支持具５１の固着具挿通孔５１３に、アンカーボルト等の固着具を打入する。これにより支持具５１は設置面３に固定される。
【００３９】
次に施工者は、図５に示すように、支持具５１の前方から、挿通孔５１４に向かって棒状部材５２を挿入する。棒状部材５２は、前方側の支持具５１，取付孔部７，後方側の支持具５１の順に貫通する。この後、施工者は、ナット５３を棒状部材５２のねじ部５２１に螺合する。これにより、棒状部材５２は、支持具５１に架設される。
【００４０】
雨水タンク１が設置されると、図５（ｃ）に示されるように、棒状部材５２は、取付孔部７の貫通孔７１の孔内面の下端部に圧接する。言い換えると、雨水タンク１の固定状態では、棒状部材５２は、取付孔部７の孔内面の下端部に当接する。
【００４１】
また、このとき、支持具５１の立設部５１２は、底凹部２５内に収容される。つまり、支持具５１の大部分が底凹部２５内に収容されており、言い換えると、支持具５１が底凹部２５内に配置されている。なお、立設部５１２及び固定部５１１を含めて支持具５１の全てが底凹部２５内に収まるようにすると、外観上より好ましい。
【００４２】
さらに、支持具５１は、側面凹部２６内に配置されている。より詳しく言うと、棒状部材５２を固定するナット５３や、棒状部材５２の突出部分を含め、側面凹部２６内に配置されている。このとき、支持具５１のナット５３や、棒状部材５２の突出部分は、雨水タンク１の側面よりも非突出となっている。
【００４３】
なお、雨水タンク１の取り付け方法として、雨水タンク１を配置した後に固定具５を取り付けた例を説明したが、固定具５を設置面に固定した後に雨水タンク１を配置してもよい。
【００４４】
固定された雨水タンク１は、図６に示されるように、竪樋に接続される。竪樋は、第１の竪樋９０と、第２の竪樋９１とを備えている。第１の竪樋９０は、第２の竪樋９１の上流側に配置されている。竪樋には取水装置９２が接続されている。取水装置９２は、雨水取込口９２１と、第１の分岐口９２２と、第２の分岐口９２３とを備えている。第１の分岐口９２２と第２の分岐口９２３とは、雨水取込口９２１から分岐している。雨水取込口９２１には、第１の竪樋９０が接続される。第２の分岐口９２３には、第２の竪樋９１が接続される。第１の分岐口９２２と雨水タンク１の取水口２１との間には、取水用ホース９４が接続される。
【００４５】
第１の竪樋９０を流下した雨水は、雨水取込口９２１から取水装置９２に流入する。そして、雨水の一部または全部が、第１の分岐口９２２に流入する。
【００４６】
また雨水タンク１の排水口２２は、排水用ホース９５を介して竪樋に連通接続される。第２の竪樋９１には排水装置９３が接続されている。排水装置９３は、第１の取込口９３１と、第２の取込口９３２と、雨水流出口９３３とを備えている。第１の取込口９３１と第２の取込口９３２とは、雨水流出口９３３に連通している。第１の取込口９３１と雨水タンク１の排水口２２とは、排水用ホース９５を介して接続される。第２の取込口９３２は、第２の竪樋９１に接続される。雨水流出口９３３は、排水溝（図示せず）に接続される。
【００４７】
以上説明したように、本実施形態の雨水タンク１の固定構造は、雨水タンク１と、固定具５とを備えている。雨水タンク１は、貯水部２９を有している。貯水部２９は雨水を貯留する。雨水タンク１は設置面３に載置されている。固定具５は、雨水タンク１を設置面３に固定する。雨水タンク１には取付孔部７が設けられている。取付孔部７は、雨水タンク１を一方向に貫通する。固定具５は、支持具５１と、棒状部材５２とを備えている。支持具５１は、取付孔部７の貫通方向の両側に配置される。支持具５１は、設置面３に固定される。棒状部材５２は、支持具５１に架設される。棒状部材５２は、取付孔部７に挿通される。
【００４８】
このように本実施形態の雨水タンク１の取付構造によれば、雨水タンク１に設けられた貫通孔７１に棒状部材５２を挿通した状態で、雨水タンク１を設置面３に固定できるため、地震などが起こった場合でも雨水タンク１が浮き上がってしまうのを防止できる。
【００４９】
また本実施形態の雨水タンク１の貯水部２９の下方には底凹部２５が設けられている。底凹部２５は上方に凹没する。支持具５１は、この底凹部２５内に配置されている。
【００５０】
このため本実施形態の雨水タンク１の固定構造によれば、支持具５１を目立たないようにできて、雨水タンク１の設置後の外観を向上させることができる。
【００５１】
また、本実施形態の雨水タンク１の側面には、側面凹部２６が設けられている。側面凹部２６は、雨水タンク１の側面から内側に向かって凹没する。支持具５１は、この側面凹部２６内に配置されている。
【００５２】
このため本実施形態の雨水タンク１の固定構造によれば、支持具５１が雨水タンク１の側面から突出しないようにできるため、使用者等が不意に足等を引掛けたりするのを防ぐことができる。
【００５３】
また本実施形態の棒状部材５２は、取付孔部７の孔内面の下端部に当接している。
【００５４】
このため本実施形態の雨水タンク１の固定構造によれば、雨水タンク１の浮き上がりを防止でき、雨水タンク１のガタつきも防止できる。したがって、本実施形態の雨水タンク１の固定構造によれば、雨水タンク１を一層安定して設置することができる。
【００５５】
また本実施形態の支持具５１は、雨水タンク１の左右方向の中央に設けられているため、最低限の個数でバランスよく雨水タンク１を固定することができる。
【００５６】
なお、本実施形態の取付孔部７は、雨水タンク１に一体成形されたものである。しかしながら本発明の取付孔部は、雨水タンクにボルトやビス等の固着具を介して後から取り付けられるものであってもよい。また、取付孔部は、溶着や接着等により雨水タンクに取り付けられてもよい。
【００５７】
また本実施形態の雨水タンク１は、底凹部２５と側面凹部２６とのいずれもが設けられていたが、本発明においては、底凹部が設けられずに、側面凹部が設けられたものであってもよい。また本発明の雨水タンクは、側面凹部が設けられずに、底凹部が設けられたものであってもよい。
【００５８】
また本実施形態の貫通孔７１は、雨水タンク１の一部を前後方向に沿って貫通するものであったが、左右方向に沿って貫通するものであってもよい。
【符号の説明】
【００５９】
１      雨水タンク
２      タンク本体
２１    取水口
２２    排水口
２５    底凹部
２６    側面凹部
２７    筒状吐出部
２９    貯水部
３      設置面
４      蓋部材
５      固定具
５１    支持具
５１１  固定部
５１２  立設部
５２    棒状部材
５３    ナット
７      取付孔部
７１    貫通孔
８０    第１の方向
８１    第２の方向
８２    前方
８３    後方
【図１】
2013234546.tif 000003
【図２】
2013234546.tif 000004
【図３】
2013234546.tif 000005
【図４】
2013234546.tif 000006
【図５】
2013234546.tif 000007
【図６】
2013234546.tif 000008